(57)【要約】【課題】透明樹脂層上に転写された色トナーを電子写真式画像形成装置の定着装置を通過させることで、透明樹脂層内に色トナーを浸透させ、且つ、透明樹脂及び色トナーの平滑性を確保して高光沢性を得ることができる画像形成装置を提供すること。【解決手段】ベース層と透明樹脂層を有する電子写真用記録シートを用いて、出力画像に高光沢性を持たせる電子写真用記録シート及び画像形成装置において、該電子写真用記録シートの表面粗さが該画像形成装置で用いるトナーの平均粒径に対して３個分以上、１６個分以下の十点平均粗さＲｚを有することを特徴とする。【選択図】図１
2006126351.tif 000002
【特許請求の範囲】
【請求項１】
ベース層と透明樹脂層を有する電子写真用記録シートを用いて、出力画像に高光沢性を持たせる画像形成装置において、
前記電子写真用記録シートの表面粗さが該画像形成装置で用いるトナーの平均粒径に対して３個分以上１６個分以下の十点平均粗さＲｚを有することを特徴とする画像形成装置。
【請求項２】
前記電子写真用記録シート表面の表面粗度に規則性を持たせる場合には、画像形成装置の画像出力中に用いる色再現用の最高線数を示す最小ドット間隔よりも小さい周期の凹凸を有し、電子写真用記録シート表面の表面粗度に規則性を持たせない場合には、画像形成装置の画像出力中に用いる色再現用の最高線数を示す最小ドット間隔よりも小さい平均間隔Ｓｍの凹凸を有することを特徴とする請求項1記載の画像形成装置。
【請求項３】
ベース層と透明樹脂層を有する電子写真用記録シートは、未使用時には十点平均粗さＲｚを該画像形成装置で用いるトナーの平均粒径に対して３個未満とし、該画像形成装置内にて表面粗度を粗くして、トナーの平均粒径に対して３個以上１６個以下とすることを特徴とする請求項1記載の画像形成装置。
【発明の詳細な説明】
【技術分野】
【０００１】
本発明は、電子写真方式を用いたカラー複写機、カラープリンタ、カラーＦＡＸ等の画像形成装置に関するものである。特に、高光沢で、且つ、高画質の画像を得ることが可能な画像形成装置に関するものである。
【背景技術】
【０００２】
従来、電子写真式画像形成装置を用いて電子写真用記録シートの画像に高光沢性を持たせる方法としては、透明樹脂層を電子写真記録シート上に形成することが開発されている。透明樹脂層としては、画像形成装置で形成した色トナーを電子写真用記録シート上に転写する前又は後に透明トナーを転写して光沢性を得るものもある。この場合には、透明トナーの扱いが困難であることや画像形成装置内における透明トナーの作像系に余分なスペース及びコストが掛かる点が指摘されており、特許文献１にあるように、電子写真記録シートに予めポリエステル樹脂等の透明樹脂層を具備される手段も開発されている。透明樹脂層上に転写された色トナーを電子写真式画像形成装置の定着装置を通過させることで、透明樹脂層内に色トナーを浸透させ、且つ、透明樹脂及び色トナーの平滑性を確保して高光沢性を得ることを目的としている。
【０００３】
又、電子写真式画像形成装置の定着装置において、トナー面と接触する定着ローラ又は定着フィルムの表面性を向上させることで、定着後のトナー表面の凹凸を低減して、高光沢性を確保するシステムも提案されている。特許文献2にあるように、加熱混色工程と冷却工程と分離工程を有する定着フィルムを用いて高光沢でありながら光沢ムラを抑制する構成も紹介されている。
【０００４】
【特許文献１】特開平１０−２７２８３７号公報
【特許文献２】特開平５−１０７９６０号公報
【発明の開示】
【発明が解決しようとする課題】
【０００５】
ところで、従来技術における透明樹脂層を有した電子写真記録シートを用いて高光沢性を得る構成では、高光沢と高画質という点で相反する特性を示す不具合が発生し易い。高光沢性を得るように透明樹脂層内に色トナーを浸透させようとしても、色トナーは定着の熱及び圧力を受けて一時的に粘性の低い溶融物となるため、色トナーは望ましい位置に浸透されず前後左右に拡散する。このため、定着後の画像は鮮鋭さを失い、いわゆるボケた画像になってしまう。とりわけ写真調画質を目指して、より一層の高光沢性を得るように定着ローラ又は定着フィルムの表面性を向上させて、色トナーを十分加熱混色させる構成と併用すると、その影響は大きかった。
【０００６】
本発明は上記問題に鑑みてなされたもので、その目的とする処は、高光沢で、且つ、高画質の画像を得ることができる画像形成装置を提供することにある。
【課題を解決するための手段】
【０００７】
そこで、本発明では、高光沢と高画質を両立するため、電子写真用記録シートの表面性に着目した。即ち、電子写真用記録シートの表面、即ち透明樹脂層の表面に予め凹凸を明示的に付けることで、定着時の色トナーが前後左右に広がる現象を抑制することが可能となっている。凹凸の深さは、通常の透明樹脂層を有した電子写真用記録シートがＲｚ２μｍ程度、せいぜい５μｍ程度であるのに対して、本発明のように電子写真用記録シート上に載せるトナー層の高さ以上に粗くすることが有利であることが分かった。色トナーは少なくとも１色から４色、百分率で表現する場合は１００％から４００％電子写真用記録シートには載せる。
【０００８】
又、１色、即ち１００％当たり、トナー層の高さはトナーの平均粒径の３〜４個分程度載せることから、トナー平均粒径の３個分以上、１６個分以下のトナー層に相当する凹凸を電子写真記録シートに具備すれば有利であった。トナー平均粒径は通常５〜１０μｍ程度であるため、絶対値的な表面性はＲｚで１５〜１６０μｍ程度となり、例として平均粒径を７μｍとすると、２１〜１１２μｍの範囲となる。尚、画像形成装置は、通常の４色全てをフルに載せる、即ち４００％載せることは稀で、通常は４色の混色はあっても、３００％程度のトナー量までが殆どであるため、トナーの平均粒径３個から１２個分であれば望ましく、効果を全色で確保するためには、トナーの平均粒径の１０個分前後であることが望ましい。
【０００９】
又、表面の凹凸を付加する場合、紙面と水平方向の凹凸間距離についても、画像形成装置の画像処理線数との関係から濃度ムラとの相関があることが分かった。電子写真用記録シート表面の表面粗度に規則性を持たせる場合には、画像形成装置の画像出力中に用いる色再現用の最高線数を示す最小ドット間隔よりも小さい基本周期Ｔの凹凸を有するようにしている。電子写真用記録シート表面の表面粗度に規則性を持たせない場合には、画像形成装置の画像出力中に用いる色再現用の最高線数を示す最小ドット間隔よりも小さい平均間隔Ｓｍを有するようにしている。
【００１０】
更に、予め電子写真用記録シート表面の表面粗度を管理したものを使用するのではなく、画像形成装置内部で表面粗度を確保する構成でも良く、より汎用性のある電子写真用記録シートを使用することが可能となる。
【００１１】
このように、透明樹脂層を有した電子写真用記録シートの表面性を、予め画像形成装置で出力するトナー層の高さ以上に凹凸を持たせることで、定着の熱及び圧力を受けて一時的に粘性の低い溶融物といったトナーでも記録シート上で前後左右に拡散しづらい。このため、定着後の画像は鮮鋭さを維持することが可能で、いわゆるボケた画像にはならない。特に、写真調画質を目指して、より一層の高光沢性を得るように定着ローラ又は定着フィルムの表面性を向上させて色トナーを十分加熱混色させる構成と併用しても、鮮鋭さを確保することが可能となっている。
【発明の効果】
【００１２】
本発明では、高光沢と高画質を両立するため、電子写真用記録シートの表面性に着目し、電子写真用記録シート上に載せるトナー層の高さ以上に粗くすることが有利であることが分かった。具体的にはトナーの平均粒径３個分から１６個分、望ましくは３個から１２個分であれば良く、フルカラーで効果を確保するためには、１０個分前後であれば画像に鮮鋭さを維持したまま高光沢性を有することが可能となった。
【００１３】
又、表面の凹凸を付加する場合、紙面と水平方向の凹凸間距離についても、画像形成装置の画像処理線数との関係から濃度ムラとの相関があることが分かった。電子写真用記録シート表面の表面粗度に規則性を持たせる場合には、画像形成装置の画像出力中に用いる色再現用の最高線数を示す最小ドット間隔よりも小さい基本周期Ｔの凹凸を有するようにした。電子写真用記録シート表面の表面粗度に規則性を持たせない場合には、画像形成装置の画像出力中に用いる色再現用の最高線数を示す最小ドット間隔よりも小さい平均間隔Ｓｍを有するようにした。この結果、濃度ムラを生じることなく高光沢性を有することも可能となった。
【００１４】
更に、予め電子写真用記録シート表面の表面粗度を管理したものを使用するのではなく、画像形成装置内部で表面粗度を確保する構成でも良く、より汎用性のある電子写真用記録シートを使用することが可能となった。
【発明を実施するための最良の形態】
【００１５】
＜実施の形態１＞
図２は本発明で用いた画像形成装置について説明する図である。
【００１６】
半導体レーザ２により発生したレーザビームは、ポリゴンモータ３及びポリゴンミラー４の回転によりレンズ５及び反射ミラー６を経て感光体ドラム７に照射される。本画像形成装置では、副走査方向の解像度は６００ドット／インチ（以降ｄｐｉ）、主走査方向の基本解像度も６００ｄｐｉである。主走査方向は、点灯周期さえ変更すれば解像度の変更は可能であるが、１画素のトナー像という意味では主副走査で同一としている。
【００１７】
感光体ドラム７は、予め一次帯電器８により均一な電位を帯びて、レーザビームによる画像情報に応じた静電潜像を形成する。静電潜像の電位の加減は、電位センサ９により検知され、一次帯電器８での放電電流値とレーザビームの強度を調整させることで変更が可能である。感光体ドラム７上の静電潜像は、ロータリー現像器８によりトナーが付与され、トナー像として顕像化される。ロータリー現像器８は、Ｙ（イエロー）、Ｍ（マゼンダ）、Ｃ（シアン）、Ｋ（ブラック）の４色構成で、回転動作により感光体ドラム７と対向して多色現像が行われる。感光体ドラム７上に顕像化されたトナー像は、一次転写ローラ９の転写バイアスを受けて中間転写ベルト１０上に転写され、多色の転写画像を作る。転写ベルト用クリーニング部１１は多色画像の作成時には解除され、最大４色のトナー像が中間転写ベルト１０上に作成される。中間転写ベルト１０上のトナー像は、２次転写ローラ１２を通過することによって、給紙デッキ２１から通紙された電子写真用記録シート１００に転写される。この後、搬送ベルト２２を電子写真用記録シート１００は移動し、定着器５０において、電子写真用記録シート上のトナーは強固な固着状態を作り、画像が固定化される。
【００１８】
一次転写ローラ近傍を転写されずに感光体ドラム上に残留した転写残トナーは、クリーナー１３により感光体ドラムから剥ぎ取られ、除電器１４にて感光体ドラム上の残留電位を均して次の画像出力に備える。
【００１９】
図３は定着器５０について説明する図である。
【００２０】
駆動を兼ねたヒートローラ５１内部には加熱用のメインヒータ５２及びサブヒータ５３が内包され、不図示の温度センサの検知結果に応じて温度調整がされる。このヒートローラ５１の外周には、電子写真用記録シート１００上に載せられたトナー像と接触して、トナーを加熱溶融する定着フィルム５４が巻かれており、定着分離ローラ５５とテンションローラ５６に懸架されている。テンションローラ５６は不図示のバネ機構により、定着フィルム５４に張力を付与している。定着フィルム５４はポリイミドを基層として、表面にトナーとの離型性を確保するためＰＴＦＥ（ポリテトラフルオロエチレン）コートしたものを用いており、表面層を十点平均粗さＲｚで１μｍ以下の平滑性を持たせている。
【００２１】
ここで、本発明の条件で重要な十点平均粗さＲｚについて説明する。十点平均粗さＲｚとは、下記の数１で得られる。
【００２２】
【数１】
2006126351.tif 000003
ここで、ｄｐ１〜ｄｐ５は、最も高い山から５番目までの平均線からの距離で、ｄｖ１
〜ｄｖ５は、最も低い谷から５番目までの平均線からの距離である。
【００２３】
一方、電子写真用記録シート１００上に載せられたトナー像と接触しない側も加圧ローラ６１と、その外周に加圧フィルム６２を有し、加圧分離ローラ６３により懸架されている。
【００２４】
定着フィルム５４と加圧フィルム６２内部には、冷却フィン５７及び６４が設けられ、冷却ファン５８及び６５により各フィルムは冷却される。加圧フィルム６２は、定着フィルムと同構成の材料で構成され、表面性については特別な平滑性を必要としない。
【００２５】
本定着器において、定着フィルムと加圧フィルムに狭持されるように電子写真用記録シート１００は搬送され、ヒートローラ５１と加圧ローラ６１で加熱及び加圧され、冷却フィン５７及び６４近傍では各フィルムに狭持されたまま電子写真用記録シート１００上のトナーは冷却され、記録シートに固着され、定着分離ローラ５５と加圧分離ローラ６３により記録シートは曲率分離され排出する。
【００２６】
図４は従来例における透明樹脂層を有した電子写真用記録シートの断面図である。紙繊維を主体としたベース層９１と、透明樹脂層９２により構成されている。通常透明樹脂層はバーコーター法等の平滑化手段によりポリエステル樹脂等が塗布され、平滑度はベース層よりも高い場合が多い。具体的には十点平均粗さＲｚで、１〜２μｍ程度に抑えられている。
【００２７】
一方、図５は本発明による透明樹脂層を有した電子写真用記録シート１００の断面図である。
【００２８】
紙繊維を主体としたベース層１０１は厚さ２００μｍで、この上に十点平均粗さＲｚで７０μｍ程度の表面性を持つ透明樹脂層１０２を有している。透明樹脂層１０２はポリエステル樹脂で、ステンレス製金型を用いた成型法により、明示的に凹凸を付加している。明示的な凹凸とは、明らかに従来技術におけるＲｚとは値の異なる範囲を使用することを意味している。尚、透明樹脂層は熱可塑性樹脂の特性を有するもので、１００℃以上に加熱されると、ガラス転移点Ｔｇを超え、硬度が軟化するポリエステル樹脂を用いている。
【００２９】
図６は従来例における２次転写後、定着器前で捕らえた電子写真用記録シートと、その上に転写された未定着トナー像の断面図を示している。図において、１色のトナー像ｔ１を左側に示し、４色のトナー像ｔ４を右側に示している。通常、４色全てを最大トナー量で載せることはせず、ＵＣＲ（Ｕｎｄｅｒ  Ｃｏｌｏｒ
Ｒｅｍｏｖａｌ  下色除去）処理を行うため、１色の最大トナー量を１００％とすると、３００％程度が４色の最大トナー量となる。１色のトナー像ｔ１と４色のトナー像ｔ４について、未定着トナー像の幅はそれぞれｄ１及びｄ４としている。
【００３０】
一方、図１は本発明による透明樹脂層を有した電子写真用記録シート１００上に転写された未定着トナー像の断面図を示している。
【００３１】
図において、１色のトナー像を左側に示し、４色のトナー像を右側に示している。尚、４色全てを最大トナー量で載せることは通常せず、ＵＣＲ処理を行うため、１色の最大トナー量を１００％とすると、３００％程度が４色の最大トナー量となる。ここで、本発明の画像形成装置は平均粒径７μｍの色トナーを採用しており、１色当たりトナー層は３〜４層程度の載り量で転写されるため、１色につき、２１〜２８μｍ程度のトナー高さ分のトナー量となり、４色時の最大トナー高さは６３〜８４μｍ程度のトナー高さ分のトナー量が転写される。本実施の形態では、およそ７０μｍ程度のトナー高さであった。但し、このようなトナー高さは、図６で示したような従来例における平滑な表面性を持った電子写真用記録シートの場合であって、図１に示した本実施の形態の場合には、電子写真用記録シート１００の表面に十点平均粗さＲｚで７０μｍ程度の表面性を持つ透明樹脂層１０２を有している場合には、４色３００％分のトナー高さであっても、その多くは記録シート１００の表面の凹凸に沿うため、高さを正確に表現してはいない。１色のトナー像ｔ１と４色のトナー像ｔ４について、未定着トナー像の幅はそれぞれｄ1及びｄ４としている。
【００３２】
図７は図６で示した従来例の電子写真用記録シートと、その上に転写された未定着トナー像を定着器５０に通過させた後の定着後トナー像の断面図を示している。透明樹脂層９２にはトナーが浸透しているものの、定着後トナー像は、定着器５０の熱と圧力を受けて左右に広がり、転写直後の画像よりもいわゆるボケた画像となってしまう。１色のトナー像ｔ１と４色のトナー像ｔ４について、定着後トナー像の幅はそれぞれＤ1及びＤ４で、明らかに未定着トナー像の幅ｄ1及びｄ４よりも増加している。
【００３３】
図８は図１で示した本発明による電子写真用記録シート１００と、その上に転写された未定着トナー像を定着器５０に通過させた後の定着後トナー像の断面図を示している。透明樹脂層１０２にトナーが浸透しているだけでなく、定着後トナー像は、図７で示したような左右への広がりは少なく、転写直後の画像よりもボケてしまった量は少な目であることが分かる。
【００３４】
本発明者等の考察によれば、本発明のように電子写真用記録シート１００表面の透明樹脂層１０２に明示的な凹凸が設けられていると、定着器の突入した直後に凹凸が軟化して高さを失うように振舞うと同時に、トナーの軟化速度の方が速いため、トナーが前後左右へ広がることを防止する障壁として働き、ボケる量を抑制するためと推定している。
【００３５】
この場合、電子写真用記録シート１００の凹凸の深さとトナー量に深い関係があることを本発明の筆者らは見出した。表１及び表２は、凹凸の深さを表す指標として十点平均粗さＲｚとトナー量を示す指標としてトナー層の厚みを振って、画像のボケ具合を確認したものである。表１は１色に関するもので、表２は４色に関するものである。表１及び表２共にトナー粒径を２種類振り、各厚みで記録シートに転写したもので、この記録シートの十点平均粗さＲｚを幾つか振ることで、トナー層の厚みと記録シートの表面性の関係を示したものである。従来比較例１及び従来比較例２では、トナー層の厚みに対して、記録シートの表面性が極めて平滑であるため、画出し確認後の画像ボケは好ましくない結果となっている。従来比較例３のようにＲｚを或る程度つけても完全ではなく、実施例１−1又は実施例１−４のように記録シート上のトナー量に対して記録シートのＲｚを大きくして、具体的には平均トナー粒径の３個分以上とすることでボケの抑制された画像が得られる。
【００３６】
表２のように、４色トナーを転写させ、これを定着する場合は、従来比較例４及び５のように１色の場合には十分であったＲｚでも結果は好ましくなく、従来比較例６でも十分ではなかった。実施例1−3又は1−4において画像が満足できるレベルとなり、記録シート上のトナー量に対して記録シートのＲｚを大きくして、具体的には平均トナー粒径の１０個分以上とすることでボケの抑制された画像が得られる。又１色当たりのトナー量は３〜４層程度であるため、平均トナー粒径の最大１６個以下であることが、本発明の主旨からして妥当である。通常ＵＣＲ処理により４００％のトナー量を載せることは稀であり、望ましくは１２個以下が最適である。表１のように１色しか使用しない単色の画像出力装置であれば、実施例１−1又は実施例１−2のような平均トナー粒径の３個分以上のＲｚを有する記録シートが優れている。フルカラー出力可能な画像出力装置であれば、９個分以上１６個分以下、望ましくは１２個分以下、或いは１０個分前後のＲｚを有する記録シートが優れている。
【００３７】
【表１】
2006126351.tif 000004
【００３８】
【表２】
2006126351.tif 000005
＜実施の形態２＞
電子写真用記録シートに凹凸を明示的に設ける場合、実施の形態１で示したような凹凸の深さ方向だけでなく、紙面水平方向の特性的にも画質に関して相関があることが分かった。本実施の形態では紙面水平方向に関する説明をする。
【００３９】
そもそも、電子写真用記録シートに凹凸を設ける手法については、本発明では限定していない。金型を用いた成型法でも良く、軟化点前後での表面に凹凸ある金属ローラの押し付けによるものでも良く、研磨ローラ等による研磨法でも良く、微粒子ディスパージョンの吹きつけコーティング法でも良い。何れの方法でも、紙面水平方向の凹凸の具合については大別して２種類となる。規則性、即ち周期性が有る場合と、無い場合である。周期性が有る場合には、基本の周期が存在することになる。前記金型を用いた成型法や、軟化点前後での表面に凹凸ある金属ローラの押し付けによる方法では、凹凸に周期性を持たせることは可能な場合があり、研磨ローラ等による研磨法や、微粒子ディスパージョンの吹きつけコーティング法では、凹凸に周期性を持たせることは困難である。周期性が有る場合でも、基本の周期が多少ばらつくことは、フーリエ変換等の周波数解析法を使うとピークがブロードになる等の特性から十分あり得ることである。
【００４０】
表３は凹凸の周期性が多少ばらついたとしても存在する場合に、画質との関係を示したものである。従来比較例７及び実施例２−１で用いる階調再現用の画像処理として、Ｙ（イエロー）は線成長、スクリーン線数１０６線、スクリーン各４５度とし、Ｍ（マゼンダ）は点成長、８５線、３４度とし、Ｃ（シアン）は点成長、１０３線、−３７度とし、Ｋ（ブラック）は線成長、１０６線、−４５度としている。最高スクリーン線数は、１０６線であり、この場合最小ドット間隔は２４０μｍとなる。
【００４１】
図９は従来比較例７における電子写真用記録シート上に転写された未定着トナー像の断面図を示している。３箇所のトナー像は基本ドット間隔Ｓで配置されるのに対して、記録シートの基本周期Ｔが大きいため、凹凸の凸部や凹部またはスロープ部に転写されている。
【００４２】
図１０は図９で示した従来比較例７における転写された未定着トナー像を定着器５０に通過させた後の定着後トナー像の断面図を示している。記録シートの凸部や凹部又はスロープ部により透明樹脂層に対するトナーの浸透具合と、前後左右へのトナーの広がり具合が異なる傾向となる。この結果、階調安定性としてハーフトーン画像に濃度ムラを生ずる原因となり、透明樹脂層に凹凸を設けたためにかえって画質が低下してしまう。
【００４３】
一方、図１１は、実施例２−１における電子写真用記録シート上に転写された未定着トナー像の断面図を示している。３箇所のトナー像は基本ドット間隔Ｓで配置されるのに対して、記録シートの基本周期Ｔが小さいため、凹凸の凸部や凹部やスロープ部は各ドット内に偏在することなくそれぞれ存在して転写されている。
【００４４】
図１２は図１０で示した実施例２−１における転写された未定着トナー像を定着器５０に通過させた後の定着後トナー像の断面図を示している。記録シートの凸部や凹部やスロープ部は各ドットの範囲に適度な割合で存在し、偏在することがないので、透明樹脂層に対する浸透具合と、前後左右へのトナーの広がり具合が各ドットでそれほど異なることがない。このため、図１０で示したようなハーフトーン画像に濃度ムラを生ずることはなく、透明樹脂層に凹凸を設けても、凹凸の周期性さえ考慮すれば画質は維持することが可能となる。
【００４５】
表３において、従来比較例８と実施例２−２については、階調再現用の画像処理として、Ｙ（イエロー）は点成長、スクリーン線数１０６線、スクリーン各４５度とし、Ｍ（マゼンダ）は点成長、１３４線、６３度とし、Ｃ（シアン）は点成長、１３４線、−６３度とし、Ｋ（ブラック）は線成長、１５０線、０度としている。最高スクリーン線数は、１５０線であり、この場合ドット間隔は１６９μｍとなる。この場合も同様に、画像処理の最小ドット間隔Ｓよりも記録シートの基本周期Ｔが大きいと濃度ムラが目立ち、逆に画像処理の最小ドット間隔Ｓよりも記録シートの基本周期Ｔが小さいと濃度ムラが良好になる結果となった。
【００４６】
次に、電子写真用記録シートに凹凸を設ける手法として、研磨ローラ等による研磨法や、微粒子ディスパージョンの吹き付けコーティング法のような手法では、透明樹脂層の表層に凹凸ができても、固有又は基本となる周期性を作成することは困難である。
【００４７】
図１３は、研磨ローラによる透明樹脂層にランダム的な凹凸を模式的に示した断面図である。このような場合、表面性をフーリエ変換等の周波数解析法を使ってもピークは存在しなくなり、基本周期という考えができなくなる。しかし、このような周期性が無い場合には、本発明の筆者らは、凹凸の平均間隔Ｓｍで代用できることを確認している。平均間隔Ｓｍとは、下記の式２で得られる。
【００４８】
【数２】
2006126351.tif 000006
ここで、Ｓｍｉは、平均線を横切る粗さ曲線における山及び谷について、１つの山及びそれに隣り合う１つの谷分の平均線長さであり、その平均を求めたものが平均間隔Ｓｍである。
【００４９】
表４は、表３と同様の画像処理法において、電子写真用記録シートに周期性の乏しい凹凸を作成し、各記録シートの平均間隔Ｓｍと、画出し確認後の濃度ムラについて確認した結果である。画像処理の最小ドット間隔Ｓよりも記録シートの平均間隔Ｓｍが大きいと濃度ムラが目立ち、逆に画像処理の最小ドット間隔Ｓよりも記録シートの平均間隔Ｓｍが小さいと濃度ムラが良好になる結果を得ることが可能となっている。
【００５０】
尚、周期性が有るか無いかは大別すると２通りだが、中間的な特性を示す凹凸も十分考えられる。このような場合、基本周期Ｔと平均間隔Ｓｍのどちらか一方を満足するか、できれば両方とも満足するように、画像処理の最高スクリーン線数よりも細かな凹凸にすることで対応することが可能となる。
【００５１】
【表３】
2006126351.tif 000007
【００５２】
【表４】
2006126351.tif 000008
＜実施の形態３＞
本実施の形態では、透明樹脂層を有した電子写真用記録シートに予め深さと距離について管理された明示的な凹凸を設けたものを使用するのではなく、画像形成装置内にて凹凸を設けることを特徴としている。
【００５３】
図１４は本実施の形態で用いた画像形成装置について説明する図である。
【００５４】
半導体レーザ２により発生したレーザビームは、ポリゴンモータ３及びポリゴンミラー４の回転により、レンズ５及び反射ミラー６を経て感光体ドラム７に照射される。本画像形成装置では、副走査方向の解像度は６００ドット／インチ（以降ｄｐｉ）、主走査方向の基本解像度も６００ｄｐｉである。主走査方向は、点灯周期さえ変更すれば解像度の変更は可能であるが、1画素のトナー像という意味では主副走査で同一としている。
【００５５】
感光体ドラム７は予め一次帯電器８により均一な電位を帯びて、レーザビームによる画像情報に応じた静電潜像を形成する。静電潜像の電位の加減は、電位センサ９により検知され、一次帯電器８での放電電流値とレーザビームの強度を調整させることで変更が可能である。感光体ドラム７上の静電潜像は、ロータリー現像器８によりトナーが付与されトナー像として顕像化される。ロータリー現像器８は、Ｙ（イエロー）、Ｍ（マゼンダ）、Ｃ（シアン）、Ｋ（ブラック）の４色構成で、回転動作により感光体ドラム７と対向して多色現像が行われる。感光体ドラム７上に顕像化されたトナー像は、一次転写ローラ９の転写バイアスを受けて中間転写ベルト１０上に転写され、多色の転写画像を作る。転写ベルト用クリーニング部１１は多色時には解除され、最大４色のトナー像が中間転写ベルト１０上に作成される。中間転写ベルト１０上のトナー像は、２次転写ローラ１２を通過することによって、給紙デッキ２１から通紙された電子写真用記録シート１００に転写される。この後、搬送ベルト２２を電子写真用記録シート１００は移動し、定着器５０において、電子写真用記録シート上にトナーは強固な固着状態を作り、画像が固定化される。
【００５６】
一次転写ローラ近傍を転写されずに感光体ドラム上に残留した転写残トナーはクリーナー１３により感光体ドラムから剥ぎ取られ、除電器１４にて感光体ドラム上の残留電位を均して次の画像出力に備える。
【００５７】
ここで、給紙デッキ２１と２次転写ローラ１２の間には給紙ローラ対１２０とレジローラ対１２１が配置され、更に、給紙ローラ対１２０とレジローラ対１２１間には、本実施の形態で特徴的な凹凸ローラ１２２と加圧ローラ１２３がそれぞれ３本ずつ配置されている。凹凸ローラ１２２は電子写真用記録シートの透明樹脂層表面に押し付けられ凹凸を発生させる役目を持っている。加圧ローラ１２３は凹凸ローラのバックアップ用であり、鉄製ローラである。凹凸ローラによって表面に凹凸を付けられた電子写真用記録シートの透明樹脂層から剥ぎ取られた樹脂粉は、吸引ファン１２４とフィルタ１２５により回収するようにしている。
【００５８】
図１５は凹凸ローラ１２２についての斜視図で、ローラ径φ２０、SUS製ローラの表面にＮＣ加工により十点平均粗さＲｚ１００μｍの凹凸が付けられている。凹凸はローラ表面において、ランダム的に配置されており、周期性を持たせないようにしている。
【００５９】
図１６は図４で示したような従来例における透明樹脂層を有した電子写真用記録シートを、図１４で示した凹凸ローラ１２２を３箇所通過した後の電子写真用記録シートの断面図である。凹凸ローラ１２２は、透明樹脂層に加圧されると、透明樹脂層は塑性変形を生じ、同時に紙繊維を主体としたベース層へも変形を促す。
【００６０】
更に、透明樹脂層の表面を切削するため樹脂粉を発生させて表面に凹凸ができる。凹凸ローラ１２２を３箇所通過した後の電子写真記録シートの表面性は、十点平均粗さが７０μｍ程度となり、凹凸ローラに周期性がないため、記録シート表面にも周期性はなく、平均間隔Ｓｍが１００μｍ程度の特性を有する記録シートに変化した。このような凹凸の粗さと間隔により、汎用性のある電子写真記録シートを使用でき、且つボケの少ない、濃度ムラの抑制された高画質な光沢画像を出力することが可能となる。
【図面の簡単な説明】
【００６１】
【図１】本発明に係る透明樹脂層を有した電子写真用記録シートに転写された未定着トナー像の断面図である。
【図２】本発明で用いた画像形成装置について説明する図である。
【図３】本発明で用いた定着器について説明する図である。
【図４】従来例における透明樹脂層を有した電子写真用記録シートの断面図である。
【図５】本発明による透明樹脂層を有した電子写真用記録シートの断面図である。
【図６】従来例における透明樹脂層を有した電子写真用記録シートに転写された未定着トナー像の断面図である。
【図７】従来例における透明樹脂層を有した電子写真用記録シートを定着器に通過させた後の定着後トナー像の断面図である。
【図８】本発明による透明樹脂層を有した電子写真用記録シートを定着器に通過させた後の定着後トナー像の断面図。
【図９】従来比較例７における電子写真用記録シート上に転写された未定着トナー像の断面図である。
【図１０】従来比較例７における転写された未定着トナー像を定着器に通過させた後の定着後トナー像の断面図である。
【図１１】実施例２−１における電子写真用記録シート上に転写された未定着トナー像の断面図である。
【図１２】実施例２−１における転写された未定着トナー像を定着器に通過させた後の定着後トナー像の断面図である。
【図１３】研磨ローラによる透明樹脂層にランダム的な凹凸を模式的に示した断面図である。
【図１４】実施の形態３で用いた画像形成装置について説明する図である。
【図１５】実施の形態３で用いた凹凸ローラの斜視図である。
【図１６】実施の形態３で用いた凹凸ローラを通過した後の電子写真用記録シートの断面図である。
【符号の説明】
【００６２】
５０          定着器
５１          ヒートローラ
５４          定着フィルム
５５          定着分離ローラ
５６          テンションローラ
６１          加圧ローラ
６２          加熱フィルム
５８及び６５  冷却フィン
１００        電子写真用記録シート
１２２        凹凸ローラ
ｔ1          未定着の１色トナー
ｔ4          未定着の４色トナー
Ｔ１          定着後の１色トナー
Ｔ４          定着後の４色トナー
ｄ1          未定着の１色トナードット形状
ｄ４          未定着の４色トナードット形状
Ｄ1          定着後の１色トナードット形状
Ｄ４          定着後の４色トナードット形状
Ｓ            画処理における最小ドット間隔
Ｓｍ          凹凸の平均間隔
Ｔ            凹凸の基本周期
Ｒｚ          十点平均粗さ
【図１】
2006126351.tif 000009
【図２】
2006126351.tif 000010
【図３】
2006126351.tif 000011
【図４】
2006126351.tif 000012
【図５】
2006126351.tif 000013
【図６】
2006126351.tif 000014
【図７】
2006126351.tif 000015
【図８】
2006126351.tif 000016
【図９】
2006126351.tif 000017
【図１０】
2006126351.tif 000018
【図１１】
2006126351.tif 000019
【図１２】
2006126351.tif 000020
【図１３】
2006126351.tif 000021
【図１４】
2006126351.tif 000022
【図１５】
2006126351.tif 000023
【図１６】
2006126351.tif 000024